(57)【要約】【課題】  ワーキングディスタンスが狭くても、対物レンズが光ディスクに衝突することで光ディスクに傷が付くのを抑制することのできる対物レンズ駆動装置、光ピックアップ装置及び光ドライブ装置を提供する。【解決手段】  対物レンズ２１の周囲近傍に、軟性素材から構成される緩衝ローラ２２を回転可能に、且つ、緩衝ローラ２２の頂点と光ディスクの間の距離がワーキングディスタンスよりも短くなるように設置する。【選択図】  図１
2006331523.tif 000002
【特許請求の範囲】
【請求項１】
光ディスクに対向し、前記光ディスクに対してレーザ光を収束させる対物レンズと、
前記対物レンズを保持する対物レンズ保持部材と、
軟性を備える素材から構成される緩衝部材と、を有し、
前記緩衝部材は、前記対物レンズの周囲近傍に、回転可能に取り付けられ、
前記緩衝部材の回転軸は、前記光ディスク表面と平行であり、
前記緩衝部材の頂点と前記光ディスクの底面との間の距離が、前記対物レンズの頂点と前記光ディスクの底面との間の距離よりも短いことを特徴とする対物レンズ駆動装置。
【請求項２】
前記緩衝部材を構成する前記軟性を備える素材は、ゴム素材であることを特徴とする請求項１記載の対物レンズ駆動装置。
【請求項３】
前記緩衝部材が複数設けられていることを特徴とする請求項１または２に記載の対物レンズ駆動装置。
【請求項４】
前記緩衝部材の回転軸は、前記対物レンズ駆動装置が移動する前記光ディスクの半径方向に対し、所定の角θを形成することを特徴とする請求項１から３のいずれか１項に記載の対物レンズ駆動装置。
【請求項５】
前記所定の角θは、５〜２０度であることを特徴とする請求項４記載の対物レンズ駆動装置。
【請求項６】
前記緩衝部材は、ダンピング効果を有する固定剤により前記対物レンズ保持部材に取り付けられていることを特徴とする請求項１から５のいずれか１項に記載の対物レンズ駆動装置。
【請求項７】
前記緩衝部材は円筒状のローラであることを特徴とする請求項１から６のいずれか１項に記載の対物レンズ駆動装置。
【請求項８】
前記緩衝部材は樽状のローラであることを特徴とする請求項１から６のいずれか１項に記載の対物レンズ駆動装置。
【請求項９】
前記緩衝部材は球状のボールであることを特徴とする請求項１から６のいずれか１項に記載の対物レンズ駆動装置。
【請求項１０】
前記緩衝部材は円盤状のホイールであることを特徴とする請求項１から６のいずれか１項に記載の対物レンズ駆動装置。
【請求項１１】
光ディスクに対向し、前記光ディスクに対してレーザ光を収束させる対物レンズと、
前記対物レンズを保持する対物レンズ保持部材と、
弾性を備える弾性部材が軟性を備える緩衝ヘッドを支持する形で構成される緩衝部材と、を有し、
前記緩衝部材は、前記対物レンズの周囲近傍に配置され、
前記緩衝部材の頂点と前記光ディスクの底面との間の距離が、前記対物レンズの頂点と前記光ディスクの底面との間の距離よりも短いことを特徴とする対物レンズ駆動装置。
【請求項１２】
前記緩衝部材を構成する前記緩衝ヘッドは、ゴム素材から構成されることを特徴とする請求項１１記載の対物レンズ駆動装置。
【請求項１３】
前記緩衝部材を構成する前記弾性部材は、板バネであることを特徴とする請求項１１または１２に記載の対物レンズ駆動装置。
【請求項１４】
前記緩衝部材の前記弾性部材は、前記光ディスクの回転方向に傾斜していることを特徴とする請求項１１から１３のいずれか１項に記載の対物レンズ駆動装置。
【請求項１５】
請求項１から１４のいずれか１項に記載の対物レンズ駆動装置を有する光ピックアップ装置。
【請求項１６】
請求項１５記載の光ピックアップ装置を有する光ドライブ装置。
【発明の詳細な説明】
【技術分野】
【０００１】
本発明は、対物レンズ駆動装置、光ピックアップ装置及び光ドライブ装置に関し、特に、ワーキングディスタンスが狭いために起こる光ディスクと光ピックアップとの衝突により光ディスク表面が傷つくのを抑制することのできる対物レンズ駆動装置、光ピックアップ装置及び光ドライブ装置に関する。
【背景技術】
【０００２】
近年、高密度・大容量のデータ保存を達成するため、記憶媒体として光ディスクを利用する光メモリ技術が広く利用されている。
【０００３】
光ディスクとは、ＣＤ（Compact Disc）やＤＶＤ（Digital Versatile Disc）等の読み出し専用光ディスクや、ＣＤ−Ｒ（CD Recordable）、ＣＤ−ＲＷ（CD ReWritable）等の書き込み可能光ディスクに代表される、データの読み出し・書き込みにレーザ光を利用する補助記憶装置のことである。
【０００４】
光ディスクは、フロッピー（登録商標）ディスクなどの記録媒体に比べて記憶容量が大きく、また、ハードディスクに比べて携帯性に優れることから、映像や音楽などのマルチメディアデータやデータファイルやソフトウェア等のプログラムデータなどの保持ディスクとして利用されている。
【０００５】
光ディスクは、その情報記録面に形成されるピット（微小な凸部）の配列によりデータを保持する。ピットの大きさは、光ディスクの記憶容量に大きく関わるものであり、光ディスクの種類に応じて異なる。例えば、ＣＤとＤＶＤとを比べた場合、記憶容量の大きいＤＶＤのピットサイズはＣＤのピットサイズと比べて小さいものとなっている。
【０００６】
光ディスクからのデータの読み出し、光ディスクに対するデータの記録は、光ドライブ装置において行われる。光ドライブ装置のデータの記録・再生の精度のレベルは、ひとえにその光ドライブ装置が備える光ピックアップ装置に大きく依存している。光ピックアップ装置は、光ディスクに記録されたデータの読み出し、またはデータの書き込みを行うデバイスのことであり、回折限界の微小スポットの形成や、光学系のフォーカス・トラッキングの制御、ピット信号の検出、などを実行する。
【０００７】
光ピックアップ装置の内部構成を図１１に示す。光ピックアップ装置４０は、対物レンズ２１と、１／４波長板４１と、コリメータレンズ４２と、偏光ビームスプリッタ４３と、回折格子４４と、レーザダイオード４５と、円筒レンズ４６と、光検出器４７と、から構成される。
【０００８】
データを読み取りは、レーザダイオード４５から光ディスク５０内部の情報記録面のピットに対してレーザ光を照射し、その反射光を光検出器４７で読み取ることで行われる。また、データを書き込みは、レーザダイオード４５から光ディスク５０に対してレーザ光を照射することで光ディスク５０表面を熱変形し、ピットを形成することで行われる。
【０００９】
光ピックアップ装置のパラメータとしては、ビームのスポット径を決定するレーザダイオード４５の波長やＮＡ値（Numerical Aperture／対物レンズの開口率）等が挙げられる。
【００１０】
これらのパラメータは、取り扱う光ディスクの種類、正確には取り扱う光ディスクのピットサイズに対応している。例えば、ＣＤを取り扱う光ピックアップ装置では、レーザダイオード４５の波長は７８０ｎｍでＮＡ値は約０．４５である。また、ＤＶＤを取り扱う光ピックアップ装置では、レーザダイオード４５の波長は６５０ｎｍでＮＡ値は約０．６である。
【００１１】
取り扱い対象の光ディスクに対応するパラメータを満たしていない場合、光ピックアップ装置はその光ディスクについてデータの読み書きを行うことができない。言い換えれば、必要なパラメータが異なる光ディスクを同一の光ピックアップ装置で取り扱うことができない。従って、異なる種類の光ディスクを１つの光ドライブ装置で取り扱うには、波長・ＮＡ値の異なる複数のレーザダイオード４５を複数有する光ピックアップ装置が必要になる。
【００１２】
上述の観点から、複数のレーザダイオードを備えることで異なる種類の光ディスクに対応することのできる光ピックアップ装置が提案、実施されている。また、特に近年では、既存の光ディスクのみならず、青紫レーザ（波長４０５ｎｍ）を用いたブルーレイディスク（Blu-ray-Disc）やＨＤ−ＤＶＤ（High-Definition DVD）等の新しい光ディスクにも対応することのできる光ピックアップ装置が提案されている。
【００１３】
このような複数の光ディスクに対応可能な光ピックアップ装置においては、互換を取るための影響としてワーキングディスタンスが非常に狭くなっている。ワーキングディスタンスとは、対物レンズのレンズ面先端と光ディスク表面までの距離のことであり、図１１においてＷＤで表されている距離のことである。例えば、ＣＤのみに対応する光ピックアップ装置の場合には、ワーキングディスタンスは１．２ｍｍ程度なのに比べ、ＣＤとＤＶＤに対応する光ピックアップ装置の場合は、ワーキングディスタンスは０．４ｍｍ程度になっている。また、ＣＤ、ＤＶＤ、ブルーレイディスクに対応する光ピックアップ装置の場合には、ワーキングディスタンスは０．３ｍｍ程度と、さらに狭いものとなっている。
【００１４】
ワーキングディスタンスが狭くなると、対物レンズが光ディスクの表面に衝突・接触する確率が上昇する。例えば、対物レンズ駆動装置のサーボ（制御機構）が外乱などにより外れた場合、対物レンズ駆動装置は制御不能となり発振してしまうが、こうなった場合にワーキングディスタンスが狭いと、対物レンズ駆動装置に保持される対物レンズが光ディスク表面に衝突してしまう。光ディスクはスピンドルモータに回転制御されているので、衝突により光ディスクのトラック方向（図１０、矢印Ｂ方向）に沿って傷がついてしまう。
【００１５】
対物レンズの衝突により光ディスクの表面が傷ついてしまうと、ピットの読み取り・書き込みに支障が生じ、高精度なデータの読み書きができなくなる可能性がある。それどころか、下手をすれば情報の読み書き自体が不可能となることもある。よって、対物レンズが衝突することで光ディスクの表面に傷がつくようなことはできるだけ抑制したい。
【００１６】
そこで、近年では、いかにして対物レンズが光ディスク表面に衝突することの抑制を図るかが考えられている。このような目的を達成する技術としては次のものが提案されている。
【００１７】
特許文献１では、対物レンズ上に保護リングを備え、この保護リングには高さが５０〜１００Åの凸部がリング表面積の５〜５０％に形成されている光ピックアップが提案されている。これにより、衝突時の静摩擦係数を低下させることができるので、光ディスクに傷が付くのを抑制することが可能となる。
【特許文献１】特開２００４−２３４７５１号公報
【発明の開示】
【発明が解決しようとする課題】
【００１８】
しかし、特許文献１記載の技術は以下の問題点を有している。
【００１９】
第１の問題点として、上記の技術では、対物レンズと光ディスクとの衝突が１００回起こっても光ディスクに傷が発生しないと記載されているが、衝突が１００回以上起きた場合について想定していない。特に、ワーキングディスタンスが狭くなればなるほど、衝突回数が増えるのは明白であるので、この点を考慮する必要がある。
【００２０】
また、第２の問題点として、上記の技術では、対物レンズ保護リングと光ディスクは衝突時に光ピックアップが位置する地点において衝突するので、傷が発生するならばその傷は光ディスクのトラック方向（図１０、矢印Ｂ方向）と略同一の方向に生じることになる。傷がトラック方向に知って形成されると、同一のトラック上でのデータの欠陥が非常に大きくなり記録再生の信頼度が低下してしまう。また、下手をすれば使用できなくなる可能性もある。
【００２１】
本発明は、上記の問題点に鑑みてなされたものであり、ワーキングディスタンスが狭くても、対物レンズが光ディスクに衝突することで光ディスクに傷が付くのを抑制することのできる対物レンズ駆動装置、光ピックアップ装置及び光ドライブ装置を提供することを目的とする。
【課題を解決するための手段】
【００２２】
請求項１記載の発明は、光ディスクに対向し、前記光ディスクに対してレーザ光を収束させる対物レンズと、前記対物レンズを保持する対物レンズ保持部材と、軟性を備える素材から構成される緩衝部材と、を有し、前記緩衝部材は、前記対物レンズの周囲近傍に、回転可能に取り付けられ、前記緩衝部材の回転軸は、前記光ディスク表面と平行であり、前記緩衝部材の頂点と前記光ディスクの底面との間の距離が、前記対物レンズの頂点と前記光ディスクの底面との間の距離よりも短いことを特徴とする対物レンズ駆動装置である。
【００２３】
請求項２記載の発明は、請求項１記載の対物レンズ駆動装置において、前記緩衝部材を構成する前記軟性を備える素材は、ゴム素材であることを特徴とする。
【００２４】
請求項３記載の発明は、請求項１または２に記載の対汚物レンズ駆動装置において、前記緩衝部材が複数設けられていることを特徴とする。
【００２５】
請求項４記載の発明は、請求項１から３のいずれか１項に記載の対物レンズ駆動装置において、前記緩衝部材の回転軸は、前記対物レンズ駆動装置が移動する前記光ディスクの半径方向に対し、所定の角θを形成することを特徴とする。
【００２６】
請求項５記載の発明は、請求項４記載の対物レンズ駆動装置において、前記所定の角θは、５〜２０度であることを特徴とする。
【００２７】
請求項６記載の発明は、請求項１から５のいずれか１項に記載の対物レンズ駆動装置において、前記緩衝部材は、ダンピング効果を有する固定剤により前記対物レンズ保持部材に取り付けられていることを特徴とする。
【００２８】
請求項７記載の発明は、請求項１から６のいずれか１項に記載の対物レンズ駆動装置において、前記緩衝部材は円筒状のローラであることを特徴とする。
【００２９】
請求項８記載の発明は、請求項１から６のいずれか１項に記載の対物レンズ駆動装置において、前記緩衝部材は樽状のローラであることを特徴とする。
【００３０】
請求項９記載の発明は、請求項１から６のいずれか１項に記載の対物レンズ駆動装置において、前記緩衝部材は球状のボールであることを特徴とする。
【００３１】
請求項１０記載の発明は、請求項１から６のいずれか１項に記載の対物レンズ駆動装置において、前記緩衝部材は円盤状のホイールであることを特徴とする。
【００３２】
請求項１１記載の発明は、光ディスクに対向し、前記光ディスクに対してレーザ光を収束させる対物レンズと、前記対物レンズを保持する対物レンズ保持部材と、弾性を備える弾性部材が軟性を備える緩衝ヘッドを支持する形で構成される緩衝部材と、を有し、前記緩衝部材は、前記対物レンズの周囲近傍に配置され、前記緩衝部材の頂点と前記光ディスクの底面との間の距離が、前記対物レンズの頂点と前記光ディスクの底面との間の距離よりも短いことを特徴とする対物レンズ駆動装置である。
【００３３】
請求項１２記載の発明は、請求項１１記載の対物レンズ駆動装置において、前記緩衝部材を構成する前記緩衝ヘッドは、ゴム素材から構成されることを特徴とする。
【００３４】
請求項１３記載の発明は、請求項１１または１２に記載の対物レンズ駆動装置において、記緩衝部材を構成する前記弾性部材は、板バネであることを特徴とする。
【００３５】
請求項１４記載の発明は、請求項１１から１３のいずれか１項に記載の対物レンズ駆動装置において、前記緩衝部材の前記弾性部材は、前記光ディスクの回転方向に傾斜していることを特徴とする。
【００３６】
請求項１５記載の発明は、請求項１から１４のいずれか１項に記載の対物レンズ駆動装置を有する光ピックアップ装置である。
【００３７】
請求項１６記載の発明は、請求項１５記載の光ピックアップ装置を有する光ドライブ装置である。
【発明の効果】
【００３８】
本発明により、対物レンズ駆動装置のサーボが外乱などにより外れ、対物レンズ駆動装置が制御不能となり発振したとしても、その衝突による応力、光ディスクの回転による応力を吸収し得る緩衝部材が光ディスクに接触するので、光ディスクに傷が付くことを抑制することができる。また、緩衝部材が各応力を吸収するので、対物レンズ駆動装置を支持する部材の変形を抑制することが可能となり、対物レンズ駆動装置の精度・信頼性を維持することが可能となる。
【発明を実施するための最良の形態】
【００３９】
以下、本発明について、実施の形態に基づいて詳細に説明する。なお、以下の説明においては、方向を表す表現として、「ラジアル方向」、「タンジェンシャル方向」という表現を用いる。「ラジアル方向」とは、光ディスク５０の半径方向のことであり、図１０において矢印Ａで表される。また、「タンジェンシャル方向」とは、光ディスク５０の円周方向すなわち記録トラック方向のことであり、ラジアル方向と直交し、図１０において矢印Ｂで表される。
【００４０】
＜第１の実施形態＞
まず、本発明の第１の実施形態について、図１を参照して説明する。図１は、本実施形態に係る対物レンズ駆動装置を示す。
【００４１】
対物レンズ駆動装置１０は、ベース部１１と、サスペンションワイヤー１２と、対物レンズ保持部材であるボビン２０と、から構成される。
【００４２】
ベース部１１は、いわゆる底板であり、ボビン２０の底部を保持する。サスペンションワイヤー１２は、タンジェンシャル方向と平行な４本のワイヤーであり、ボビン２０を支持する。
【００４３】
なお、ベース部１１の下部にはシークレール１３が取り付けられている。このシークレール１３はラジアル方向上に設けられており、対物レンズ駆動装置１０はシークレール１３上を動くことでシーク動作を行う。つまり、対物レンズ駆動装置１０の可動領域はラジアル方向上となる。
【００４４】
ボビン２０は、対物レンズ２１と、緩衝部材としての緩衝ローラ２２と、緩衝ローラ設置口２３と、から構成される。
【００４５】
対物レンズ２１は、光ピックアップ装置において最も外側（光ディスクに近い側）に設けられたレンズであり、光ディスクに対してレーザ光を収束させるはたらきをする。
【００４６】
緩衝ローラ設置口２３は、ボビン２０に設けられた開口部であり、ここに緩衝ローラ２２が設置される。本実施形態においては、緩衝ローラ設置口２３は対物レンズ２１の近傍でボビン２０の奥側（図１参照）に設けられている。
【００４７】
緩衝ローラ２２は円筒状のローラであり、軟性を有するブチルゴムやシリコンゴムなどのゴム素材から構成される。また、緩衝ローラ２２の長手方向両端部には回転軸２４が突出しており、この回転軸２４を中心として回転することになる。
【００４８】
緩衝ローラ２２は、回転軸２４が光ディスクの表面と平行になるように、かつ、ラジアル方向と平行になるように設置される。また、緩衝ローラ２２は、緩衝ローラ２２の回転軸２４のみで支持され、且つ、緩衝ローラ２２が回転可能になるように、緩衝ローラ設置口２３に設置される。
【００４９】
また、緩衝ローラ２２は、図２に示すように、緩衝ローラ２２の頂点と光ディスク５０との間の距離（図中、矢印Ｃ）がワーキングディスタンス（ＷＤ）よりも短くなるように設置される。このように構成することにより、対物レンズ駆動装置１０が発振しても、対物レンズではなく緩衝ローラ２２が光ディスクに衝突することになる。
【００５０】
上記のように構成することにより、対物レンズ駆動装置１０のサーボが外乱などにより外れ、対物レンズ駆動装置１０が制御不能となり発振した場合に、回転可能で且つ軟性を有する緩衝ローラ２２が光ディスクに衝突するので光ディスクに傷が付くことを抑制することができる。
【００５１】
また、緩衝ローラ２２は回転可能なので、光ディスクと緩衝ローラ２２が接触した際、スピンドルモータにより回転制御される光ディスクの回転による応力を吸収することができる。なので、対物レンズ駆動装置１０のサスペンションワイヤー１２が該回転エネルギーの影響でタンジェンシャル方向に圧迫・座屈されるのを抑制することが可能となり、対物レンズ駆動装置１０の精度・信頼性を維持することが可能となる。
【００５２】
なお、上記実施形態においては緩衝ローラ２２（緩衝ローラ設置口２３）の設置箇所について対物レンズ２１近傍のボビン２０の奥側としているが、緩衝ローラ２２の設置箇所は特に限定されるものではなく、「対物レンズ駆動装置１０が発振した際に、対物レンズではなく緩衝ローラ２２が光ディスクに衝突する」という構成条件を満たすような設置箇所であればよい。
【００５３】
また、上記実施形態においては緩衝ローラ２２の大きさを特に限定していない。この点については、「対物レンズ駆動装置１０が発振した際に、最初に緩衝ローラ２２が光ディスクに衝突する」という構成条件を充足させることを前提に、ボビン２０のサイズや重量バランス、緩衝ローラ２２の配置効率等の諸条件に応じて決定すればよい。
【００５４】
また、上記実施形態においては、緩衝ローラ２２は軟性を有するブチルゴムやシリコンゴムなどのゴム素材から構成されるとしているが、緩衝ローラ２２はゴム素材に限られるものではなく、適度な軟性を有する素材から構成されていればよい。また、別の構成として、ブチルゴムやシリコンゴムなどのゴム素材や、フェルトなどの柔らかい繊維素材などの軟性素材でその外周をコーティングしたローラを緩衝ローラ２２として使用してもよい。
【００５５】
なお、上記実施形態において緩衝ローラ２２を緩衝ローラ設置口２３に設置する際には、硬度の低い接着剤やゲル状のＵＶ硬化型接着剤などを用いて、軸回転に支障をきたさない程度で回転軸２４を固定して設置するとさらに好ましい。このように構成することにより、緩衝ローラ２２がダンピング効果（剛体に掛かる応力を減衰させる効果）を有するので、ボビン剛性による共振ピークをダンピングすることが可能となり、対物レンズ駆動装置１０の共振特性を向上させることが可能となる。また、データの書き込み・読み取りの際の制御特性の安定性、信頼性を一層向上させることが可能となる。さらには、光ディスクの高速回転も可能となるので、データの読み書きの速度をも向上させることが可能となる。
【００５６】
＜第２の実施形態＞
次に、本発明の第２の実施形態について、図３を参照して説明する。本実施形態の対物レンズ駆動装置１０は、第１の実施形態の対物レンズ駆動装置１０において、緩衝ローラ２２が円筒状ではなく、樽型、すなわち、円筒の中央部の半径が円筒端部に近づくほど逓減した形状となっている。
【００５７】
上記のように構成することにより、緩衝ローラ２２の端部の角が無くなるので、対物レンズ駆動装置１０が発振し光ディスクと緩衝ローラ２２の角とが衝突した場合に高確率で生じる傷の発生を抑制することが可能となる。また、衝突が起こる地点を緩衝ローラ２２の中心部に近い箇所にすることができるため、緩衝ローラ２２が回転しやすくなり、樽型でない緩衝ローラ２２を用いたものと比べて応力の吸収率を上昇させ、傷の発生率を減少させることが可能となる。
【００５８】
＜第３の実施形態＞
次に、本発明の第３の実施形態について、図４を参照して説明する。本実施形態の対物レンズ駆動装置１０は、第１の実施形態の対物レンズ駆動装置１０において、緩衝ローラ２２の回転軸２４の中心軸が、ラジアル方向と平行ではなく、ラジアル方向に対し１０度の角を形成するように配置された構成となっている。図４に本実施形態の対物レンズ駆動装置１０のボビン２０を示す。
【００５９】
上記のように構成することにより、対物レンズ駆動装置１０が発振し、光ディスクと緩衝ローラ２２とが衝突した場合、回転軸２４がラジアル方向に対し１０度の角を形成しているので、緩衝ローラ２２の回転応力によりボビン２０はラジアル方向にスライドする。すなわち、ボビン２０は光ディスクの同一トラック方向からずれることになる。そのため、衝突により傷が付いたとしても、傷の付く方向は光ディスクのトラック方向とは一致しないので、同一トラックでの欠陥を非常に少なくすることが可能となる。これにより、最悪の結果である光ディスクの使用不能という可能性を最小にすることが可能となる。また、記録再生の信頼性を向上することが可能となる。
【００６０】
なお、上記実施形態においては、緩衝ローラ２２の回転軸２４の中心軸はラジアル方向に対し１０度の角を形成するように構成されているが、この角度については１０度に限られるものではなく、効率よくボビンをスライドさせることができる角度であればよい。このような角度はおおよそ５度から２０度である。
【００６１】
また、本実施形態に係る図４では、手前からみて右側に１０度の角（角θ）が形成されているが、これは左側に形成されていてもかまわない。なお、角θが右側に形成された場合と左側に形成された場合とではボビン２０がスライドする方向が異なるが、本実施形態の目的は、光ディスクと衝突した際に同一トラックからボビン２０をスライドさせることにあり、そのスライド方向について限定をかけるものではないからである。
【００６２】
なお、あえていうなら、ボビン２０が光ディスクの外側に向けてスライドするように角θを設けるのが望ましい。何故なら、一周の長さが短い内側トラックのほうが外側トラックに比べて発生する傷がトラック方向に伸びてしまうからである。また、特にＣＤの場合には、ディスクの内側のトラックには、ＴＯＣ（Table Of Contents）と呼ばれる演奏時間やデータの位置の重要情報記憶部分があり、ＴＯＣが傷つくとそのＣＤが使用不可能になるため内側スライドさせるべきではないからである。
【００６３】
＜第４の実施形態＞
次に、本発明の第４の実施形態について、図５を参照して説明する。本実施形態の対物レンズ駆動装置１０は、図５に示すように、第３の実施形態の対物レンズ駆動装置１０において、ラジアル方向に対し１０度の角を形成する緩衝ローラ２２および緩衝ローラ設置口２３が２つ、左右対称に設けられた構成となっている。
【００６４】
上記のように構成することにより、光ディスクとの衝突の際にいずれかの緩衝ローラ２２が光ディスクに対し確実に且つ効率よく接触するので、緩衝ローラ２２が１つである対物レンズ駆動装置１０と比べて光ディスクに傷がつくのを抑制することができる。
【００６５】
なお、上記実施形態においては、ボビン２０の重量バランスを考慮し、左右対象（ハの字型）になるように緩衝ローラ２２および緩衝ローラ設置口２３を設けているが、このような配置に限定されるものではなく、例えば２つの緩衝ローラ２２および緩衝ローラ設置口２３が平行になるように設置してもよい。要は、本実施形態の目的である「光ディスクとの衝突の際にいずれかの緩衝ローラ２２が光ディスクに対し確実に且つ効率よく接触する」という構成条件を満たす配置であればよい。
【００６６】
また、上記実施形態においては緩衝ローラ２２および緩衝ローラ設置口２３を２つ設けているが、２つに限定されるものではなく、２つ以上であってもよい。ただし、不必要に多く配置しても効果がないので、ボビン２０のサイズや重量バランス、緩衝ローラ２２の配置効率等を考慮したうえで最適な個数を決定する必要がある。
【００６７】
＜第５の実施形態＞
次に、本発明の第５の実施形態について、図６を参照して説明する。本実施形態の対物レンズ駆動装置１０は、図６に示すように、第４の実施形態の対物レンズ駆動装置１０において、緩衝部材として緩衝ローラ２２の代わりに緩衝ボール２５を用いている。
【００６８】
以下、詳細に説明する。本実施形態では、緩衝ボール２５と、緩衝ボール設置口２６と、がボビン２０に設けられている。
【００６９】
緩衝ボール２５は、ブチルゴムやシリコンゴムなどのゴム素材で形成された球状の緩衝部材である。緩衝ボール設置口２６は、緩衝ボール２５を設置する設置口である。緩衝ボール設置口２６には切り込み２７が２箇所形成されている。該切り込み２７には硬度の低い接着剤やゲル状のＵＶ硬化型接着剤などが充填されており、これにより緩衝ボール２５は緩衝ボール設置口２６に回転可能に固定される。
【００７０】
上述のように、切り込み２７に硬度の低い接着剤やゲル状のＵＶ硬化型接着剤などを充填することで緩衝ボール２５が緩衝ボール設置口２６に固定される。すなわち、この切り込み２７において緩衝ボール２５の両端が支持されるので、緩衝ボール２５は切り込み２７で固定される軸を中心軸として回転することになる。よって、切り込み２７の設けられた箇所に応じて、緩衝ボール２５の回転の中心軸と、該中心軸とラジアル方向とがなす角θとが決定される。なお、この緩衝ボール２５の回転の中心軸は光ディスクの表面と平行の関係にある。
【００７１】
また、緩衝ボール２５は、緩衝ボール２５の頂点と光ディスク５０との間の距離がワーキングディスタンス（ＷＤ）よりも短くなるように設置される。
【００７２】
本実施形態の構成では、緩衝部材としてローラ状の緩衝部材（緩衝ローラ２２）よりもサイズが小さくて済む球状の緩衝部材（緩衝ボール２５）を用いるので、緩衝部材自体を小さくすることができる。また、前述のように対物レンズ駆動装置１０を構成する部品を小さくすることにより対物レンズ駆動装置自体を小さくすることが可能となる。
【００７３】
また、緩衝ボール２５の固定部材として、硬度の低い接着剤やゲル状のＵＶ硬化型接着剤を利用しているので、緩衝ボール２５にダンピング効果（剛体に掛かる応力を減衰させる効果）を与えることができる。これによりボビン剛性による共振ピークをダンピングすることが可能となり、対物レンズ駆動装置１０の共振特性を向上させることが可能となる。また、データの書き込み・読み取りの際の制御特性の安定性、信頼性を一層向上させることが可能となる。さらには、光ディスクの高速回転も可能となるので、データの読み書きの速度をも向上させることが可能となる。
【００７４】
なお、上記実施形態においては緩衝ローラ２２の大きさを特に限定していない。この点については、ボビン２０のサイズや重量バランス、緩衝ボール２５の配置効率等の諸条件に応じて決定すればよい。
【００７５】
＜第６の実施形態＞
次に、本発明の第６の実施形態について、図７を参照して説明する。本実施形態の対物レンズ駆動装置１０は、図７に示すように、第４の実施形態の対物レンズ駆動装置１０において、緩衝部材として緩衝ローラ２２の代わりに緩衝ホイール２８を用いている。
【００７６】
緩衝ホイール２８は、円盤状の緩衝部材であり、ブチルゴムやシリコンゴムなどのゴム素材から構成されている。
【００７７】
緩衝ホイール２８はビス２９によりボビン２０の側面に回転可能に固定される。このビス２９が緩衝ホイール２８の回転軸となる。この回転軸は光ディスクの表面と平行であり、かつ、ラジアル方向に対し角θを形成する。
【００７８】
また、緩衝ホイール２８は、緩衝ホイール２８の頂点と光ディスク５０との間の距離がワーキングディスタンス（ＷＤ）よりも短くなるように設置される。
【００７９】
上記のように構成することにより、ボビン２０に緩衝部材を設置するための開口部を設けずともビスやネジ等の取り付け部材を利用すれば緩衝ホイール２８を設置することが可能なので、ボビン２０に開口部を持たせる必要がなく、ボビン２０の外部構成を簡易なものとすることが可能となる。
【００８０】
また、緩衝部材として緩衝ホイール２８を用いることで、緩衝部材の回転半径を大きくすることができるので、緩衝部材が回転しやすくなる。これにより光ディスクの回転による応力を効率的に吸収することができるので、光ディスクがより傷つきにくくなるという効果も得られる。
【００８１】
なお、上記実施形態においては、緩衝ホイール２８は軟性を有するブチルゴムやシリコンゴムなどのゴム素材から構成されるとしているが、緩衝ホイール２８はゴム素材に限られるものではなく、適度な軟性を有する素材から構成されていればよい。また、別の構成として、ブチルゴムやシリコンゴムなどのゴム素材や、フェルトなどの柔らかい繊維素材などの軟性素材で外周をコーティングした円盤を緩衝ホイールとして使用してもよい。
【００８２】
また、緩衝ホイール２８の設置について、上記の説明ではボビン２０の側面にビス２９で固定することで設置するとしたが、設置箇所についてはボビン２０の側面に限定されるものではなく、例えばボビン２０に緩衝ホイール２８設置のための開口部を設け、そこに設置するようにしてもよい。
【００８３】
＜第７の実施形態＞
次に、本発明の第７の実施形態について、図８を参照して説明する。本実施形態の対物レンズ駆動装置１０は、緩衝部材が緩衝ヘッド３０と弾性部材３１とから構成される。図８（ａ）は本実施形態のボビン２０の構成を示し、図８（ｂ）は本実施形態の緩衝部材を側面から見たものである。
【００８４】
以下、本実施形態の緩衝部材について詳細に説明する。本実施形態の緩衝部材は、図８（ｂ）に示すように、弾性部材３１の上に緩衝ヘッド３０が積置されて構成される。
【００８５】
緩衝ヘッド３０は、円筒状の部材であり、ブチルゴムやシリコンゴムなどのゴム素材から構成される。緩衝ヘッド３０は光ディスクの表面と平行になるように、且つ、光ディスクに対向するように設けられている。
【００８６】
弾性部材３１は、板バネなどの弾性を有する部材から構成され、緩衝ヘッド３０を支持する。この弾性部材３１は、ボビン２０に対して垂直に設置される。なお、本実施形態では、弾性部材３１は、ラジアル方向に対し角θを形成する。
【００８７】
また、この緩衝ヘッド３０と弾性部材３１とからなる緩衝部材は、緩衝部材の頂点つまり緩衝ヘッド３０の頂点と光ディスク５０との間の距離がワーキングディスタンス（ＷＤ）よりも短くなるように設置される。
【００８８】
上記のように構成することにより、緩衝部材が光ディスクに衝突・接触した際に生じる応力が、緩衝ヘッド３０を支持する弾性部材３１が撓むことで吸収される。よって、対物レンズ駆動装置１０のサーボが外乱などにより外れ、対物レンズ駆動装置１０が制御不能となり発振した場合に、光ディスクに傷が付くことを抑制することができる。
【００８９】
なお、上記の実施形態においては、図８（ｂ）のようにボビン２０に対して垂直になるように弾性部材３１を設置しているが、図９のように弾性部材３１を光ディスクの回転方向に傾斜させて設置するとより好ましい。このように構成することにより、弾性部材３１が垂直である緩衝部材よりも衝突時の衝撃を吸収するので、光ディスクに傷がつきにくくなる。また、ボビン２０に係る応力を小さくすることができるので、対物レンズ駆動装置１０のサスペンションワイヤー１２が該回転エネルギーの影響でタンジェンシャル方向に圧迫・座屈されるのを抑制することが可能となり、データの読み書きの信頼性をより一層向上させることが可能となる。
【００９０】
また、上記実施形態においては、緩衝ヘッド３０の形状を円筒状としているが、このような形状に限定されるものではない。要は、光ディスクとの接触時に傷を生じさせないような形状であるならよく、たとえば、かまぼこ型であってもよい。
【００９１】
＜第８の実施形態＞
次に、本発明の第８の実施形態について説明する。本実施形態は、上述した第１から第６の実施形態の対物レンズ駆動装置１０を利用した光ピックアップ装置である。このように構成することにより、緩衝部材が対物レンズ駆動装置１０に備えられているので、対物レンズ駆動装置１０のサーボが外乱などにより外れ、対物レンズ駆動装置１０が制御不能となり発振した場合に、光ディスクに傷が付くことを抑制することができる。また、衝突時に係る応力が緩衝部材の回転あるいは弾性部材の撓みにより吸収されるので、対物レンズ駆動装置１０のサスペンションワイヤー１２が該回転エネルギーの影響でタンジェンシャル方向に圧迫・座屈されるのを抑制することが可能となり、データの読み書きの信頼性をより一層向上させることが可能となる。また、衝突により傷が付いたとしても、傷の付く方向は光ディスクのトラック方向とは一致しないので、同一トラックでの欠陥を非常に少なくすることが可能となる。これにより、最悪の結果である光ディスクの使用不能という可能性を最小にすることが可能となる。また、記録再生の信頼性を向上することが可能となる。
【００９２】
＜第９の実施形態＞
次に、本発明の第９の実施形態について説明する。本実施形態は、上述した第８の実施形態の光ピックアップ装置を搭載した光ドライブ装置である。このように構成することにより、緩衝部材が対物レンズ駆動装置１０に備えられているので、対物レンズ駆動装置１０のサーボが外乱などにより外れ、対物レンズ駆動装置１０が制御不能となり発振した場合に、光ディスクに傷が付くことを抑制することができる。また、衝突時に係る応力が緩衝部材の回転あるいは弾性部材の撓みにより吸収されるので、対物レンズ駆動装置１０のサスペンションワイヤー１２が該回転エネルギーの影響でタンジェンシャル方向に圧迫・座屈されるのを抑制することが可能となり、データの読み書きの信頼性をより一層向上させることが可能となる。また、衝突により傷が付いたとしても、傷の付く方向は光ディスクのトラック方向とは一致しないので、同一トラックでの欠陥を非常に少なくすることが可能となる。これにより、最悪の結果である光ディスクの使用不能という可能性を最小にすることが可能となる。また、記録再生の信頼性を向上することが可能となる。
【００９３】
なお、上述の実施形態は、本発明の好適な実施形態の一例を示すものであり、本発明の実施の形態を限定するものではない。よって、本発明はこのような実施形態に限定されることはなく、その要旨を逸脱しない範囲内において種々の変形実施を行うことが可能である。
【図面の簡単な説明】
【００９４】
【図１】第１の実施形態の対物レンズ駆動装置の構成を示す図である。
【図２】緩衝ローラの頂点と光ディスクとの間の距離と、ワーキングディスタンスとの関係を説明するための図である。
【図３】第２の実施形態の対物レンズ駆動装置のボビンの構成を示す図である。
【図４】第３の実施形態の対物レンズ駆動装置のボビンの構成を示す図である。
【図５】第４の実施形態の対物レンズ駆動装置のボビンの構成を示す図である。
【図６】第５の実施形態の対物レンズ駆動装置のボビンの構成を示す図である。
【図７】第６の実施形態の対物レンズ駆動装置のボビンの構成を示す図である。
【図８】第７の実施形態の対物レンズ駆動装置のボビンの構成を示す図である。
【図９】第７の実施形態の対物レンズ駆動装置の緩衝部材の別の構成を示す図である。
【図１０】ラジアル方向、タンジェンシャル方向を説明するための図である。
【図１１】光ピックアップ装置の内部構成を示す図である。
【符号の説明】
【００９５】
１０    対物レンズ駆動装置
２０    ボビン
２１    対物レンズ
２２    緩衝ローラ
２５    緩衝ボール
２８    緩衝ホイール
３０    緩衝ヘッド
３１    弾性部材
５０    光ディスク
【図１】
2006331523.tif 000003
【図２】
2006331523.tif 000004
【図３】
2006331523.tif 000005
【図４】
2006331523.tif 000006
【図５】
2006331523.tif 000007
【図６】
2006331523.tif 000008
【図７】
2006331523.tif 000009
【図８】
2006331523.tif 000010
【図９】
2006331523.tif 000011
【図１０】
2006331523.tif 000012
【図１１】
2006331523.tif 000013